(57)【要約】  【課題】冷蔵庫の回転式扉体を９０度で仮止めする機構のもので、従来の構成での課題を、確実性のある仕様とし、更に対応部品の種類を抑える仕様とすること。  【解決手段】回転軸１２を形成する上部ヒンジ１３と、回転軸１２を受ける軸受け部１４と軸受け部１４の一部を延出形成した延出部１６を段付け形成した扉体１５からなり、弾性材で形成し凹凸形状１７で延出部１６を扉体１５が約９０度開いた時に係止する保持板１８を上部ヒンジ１３に設けている。一旦止める組み合わせは、保持板１８と扉体１３の延出部１６で決まり、年次のデザイン関係で変更がある場合は扉体１３が変わり、別の部品での対応は不必要であり、構成に確実性のある仕様とし、更に部品の種類を抑える仕様とする事ができる。【選択図】図１
2006336966.tif 000002
【特許請求の範囲】
【請求項１】
回転軸を形成するヒンジと、回転軸を受ける軸受け部を段付け形成した扉体からなり、段付け軸受け部の一部を延出形成した延出部と、弾性材で形成し凹凸形状で延出部を保持する保持板をヒンジに設けた冷蔵庫。
【請求項２】
延出部の形成範囲は、扉体が冷蔵庫に付いた状態を扉体が水平になる方向から見て、左右方向は軸受け部の回転軸中心より外側で、上下方向は回転軸の中心より冷蔵庫本体側とした事を特徴とする請求項１に記載の冷蔵庫。
【請求項３】
保持板の凹凸形状は、基本面から凸形状２個を繋げて形成し、２個の凸形状間に出来る凹幅は延出部を係止出来る事を特徴とする請求項１に記載の冷蔵庫。
【請求項４】
凸形状２個の基本面から高さを順次変えた事を特徴とする請求項１に記載の冷蔵庫。
【請求項５】
保持板の凹凸形状は、扉体を約９０度開いた時に扉体の延出部が位置する場所に配置した事を特徴とする請求項１に記載の冷蔵庫。
【請求項６】
保持板は、ヒンジに着脱可能とした事を特徴とする請求項１に記載の冷蔵庫。
【請求項７】
基本面から任意の幅で帯状に凹み部を設けた取り付け台座を有する回転軸と、回転軸固定部と冷蔵庫本体への取り付け部を有する下側ヒンジと、回転軸を受ける軸受け部を段付け形成し更にその一部を帯状に凸段差部を形成した扉体からなり、回転軸の台座に儲けた凹み部と扉体の軸受け部に設けた凸段差部を扉体が約９０度時に係合するように配置した事を特徴とする冷蔵庫。
【請求項８】
回転軸の台座に設けた凹み部代より、回転軸を受ける軸受け部の一部を帯状に設けた凸段差部代を大きくした事を特徴とする請求項７に記載の冷蔵庫。
【発明の詳細な説明】
【技術分野】
【０００１】
本発明は、回転式扉体を有する冷蔵庫に関し、特に扉体を９０度で仮止めする機構のものである。
【背景技術】
【０００２】
従来、この種の冷蔵庫は、図６に示すように、冷蔵庫本体１に取り付けた軸受け板３に凹部７を形成し、扉体２に取り付けた係止板４に扉体２の開放角略９０度で凹部７に係合する弾性突起９を形成している（例えば、特許文献１参照）。
【特許文献１】実開平５−６４６８７号公報
【発明の開示】
【発明が解決しようとする課題】
【０００３】
しかしながら、上記従来の構成では、構成する部材は最少であり、品質的には安定しコスト的にも最少とする事が出きるが、下記の課題を有していた。
【０００４】
（１）係止板は通常弾性力を発揮する樹脂で成形する。大型の扉に対して弾性力を発揮させる為には、耐久性を考慮すると数ｍｍの変形代が必要である。数ｍｍの変形代をさせるには係止爪と同じぐらいの形状が必要であるが、小さい係止板の範囲では形成できない。
【０００５】
（２）年次の扉デザインによる扉厚みやハンドル仕様が変わり、係合位置が変わり、係止板なり軸受板を数種類用意する必要がある。
【０００６】
本発明は、上記従来の課題を解決するもので、構成に確実性のある仕様とし、更に部品の種類を抑える仕様で、扉開放角略９０度で一旦止める事の出来る冷蔵庫を提供することを目的とする。
【課題を解決するための手段】
【０００７】
上記従来の課題を解決するために、本発明の冷蔵庫は、回転軸を形成するヒンジと、回転軸を受ける軸受け部を段付け形成した扉体からなり、段付け軸受け部の一部を延出形成した延出部と、弾性材で形成し凹凸形状で延出部を係止する保持板をヒンジに設けたことを特徴としたものである。
【０００８】
これにより、構成に確実性のある仕様とし、更に扉デザインが変わる時の新設する部品に形状を設ける事ができ、部品の種類を抑える仕様とする事が出来る。
【発明の効果】
【０００９】
本発明の冷蔵庫は、構成に確実性のある仕様とし、更に部品の種類を抑える仕様で、扉開放角略９０度で一旦止める事の出来る冷蔵庫を提供することが出来る。
【発明を実施するための最良の形態】
【００１０】
請求項１に記載の発明は、回転軸を形成するヒンジと、回転軸を受ける軸受け部を段付け形成した扉体からなり、段付け軸受け部の一部を延出形成した延出部と、弾性材で形成し凹凸形状で延出部を係止する保持板をヒンジに設けたことを特徴とする事で、扉を一旦止める構成について確実性のある仕様とし、更に扉デザインが変わる時の新設する部品に形状を設ける事ができ、部品の種類を抑える仕様とする事ができる。
【００１１】
請求項２に記載の発明は、請求項１に記載の発明において、延出部の形成範囲は、扉体が冷蔵庫に付いた状態を扉体が水平になる方向から見て、左右方向は軸受け部の回転軸中心より外側で、上下方向は回転軸の中心より冷蔵庫本体側とした事を特徴とする事で、構成に具体的な形状範囲とする事が出来る。
【００１２】
請求項３に記載の発明は、請求項１に記載の発明において、保持板の凹凸形状は、基本面から凸形状２個を繋げて形成し、２個の凸形状間に出来る凹幅は延出部を係止出来る事を特徴とする事で、扉を一旦止める際の保持性を上げる事が出来る。
【００１３】
請求項４に記載の発明は、請求項１に記載の発明において、凸形状２個の基本面から高さを順次変えた事を特徴とする事で、扉を一旦止める際の保持性を上げると共に操作感を向上させる事が出来る。
【００１４】
請求項５に記載の発明は、請求項１に記載の発明において、保持板の凹凸形状は、扉体を約９０度開いた時に扉体の延出部が位置する場所に配置した事を特徴とする事で、扉開放角略９０度で一旦止める構成とする事が出来る。
【００１５】
請求項６に記載の発明は、請求項１に記載の発明において、保持板は、ヒンジに着脱可能とした事を特徴とする事で、扉開放角略９０度で一旦止める構成が必要無い場合も即対応できる事が出来る。
【００１６】
請求項７に記載の発明は、任意の幅で基本面から凹みを設けた取り付け台座を有する回転軸と、回転軸固定部と冷蔵庫本体への取り付け部を有する下部ヒンジと、回転軸を受ける軸受け部を２段に凸付け形成した扉体からなり、回転軸の台座に儲けた凹み部と扉体の軸受け部に設けた２段の段差部を扉体が約９０度時に係合するように配置した事を特徴とする事で、扉の自重で回転軸の台座に儲けた凹み部と扉体の軸受け部に設けた２段の段差部が係合する事が出来、更に扉デザインが変わる時に新設する部品に形状を設ける事ができ、部品の種類を抑える事が出来る。
【００１７】
請求項８に記載の発明は、請求項７に記載の発明において、回転軸の台座に設けた凹み代より、回転軸を受ける軸受け部の一部を帯状に設けた凸段差部代を大きくした事を特徴とする事で、長期間の扉開閉で凸段差が摺り減って行く事での、扉体を一旦止める機能が無くなるのを低減する事が出来る。
【００１８】
以下、本発明の実施の形態について、図面を参照しながら説明する。なお、この実施の形態によってこの発明が限定されるものではない。
【００１９】
（実施の形態１）
図１は、本発明の実施の形態１における冷蔵庫の要部斜視図、図２は、本発明の実施の形態１における冷蔵庫の扉閉時の要部平面図、図３は、本発明の実施の形態１における冷蔵庫の扉開時の要部平面図、図４は、本発明の実施の形態１における冷蔵庫の斜視図を示すものである。
【００２０】
図において、冷蔵庫１１に取り付けた回転軸１２を形成する上部ヒンジ１３と、回転軸１２を受ける軸受け部１４を段付け形成した扉体１５からなり、段付け軸受け部１４の一部を延出形成した延出部１６と、弾性材で形成し凹凸形状１７で延出部１６を係止する保持板１８を上部ヒンジ１３に設けている。
【００２１】
延出部１６は、扉体１５が冷蔵庫１１に付いた状態を扉体１５が水平になる方向から見て、左右方向は軸受け部１４の回転軸１２中心より外側で、上下方向は回転軸１２の中心より冷蔵庫１１本体側の範囲に形成している。
【００２２】
保持板１８の凹凸形状１７は、基本面から凸形状２個を繋げて形成し、２個の凸形状間に出来る凹幅は延出部１６を係止出来る寸法としており、凸形状２個の基本面から高さを順次変えている。
【００２３】
保持板１８の凹凸形状１７は、扉体１５を約９０度開いた時に扉体１５の延出部１６が位置する場所に配置している。この保持板１８は、上部ヒンジ１３に着脱可能としている。
【００２４】
以上のように構成された冷蔵庫について、以下その動作を説明する。
【００２５】
扉体１５を開ける方向に回転させると、軸受け部１４に延出形成した延出部１６が同時に回転する。扉体１５が９０度近くの角度になると、延出部１６が上部ヒンジ１３に設けた保持板１８の２個の凸形状で最初の凸にぶつかる。扉体１３に更に力を加える、また、開時の勢いがある時、保持板１８を変形させて最初の凸を乗り越えて次の高い凸にぶつかり、両凸間の凹部に係止される。更に力を加えると乗り越えて最大解放角度まで扉体１３が開く。
【００２６】
扉体１３を閉める時は、開ける時の逆で高い凸を乗り越える際に保持板１８を最大変形させるので次の凸も同時に乗り越え、動作に違和感がない。
【００２７】
一旦止める組み合わせは、保持板１８と扉体１３の延出部１６で決まり、年次のデザイン関係で変更がある場合は扉体１３が変わり、別の部品での対応は不必要である。このように、構成に確実性のある仕様とし、更に部品の種類を抑える仕様で、扉開放角略９０度で一旦止める事ができる。
【００２８】
（実施の形態２）
また、図５は、本発明の実施の形態２における冷蔵庫の要部斜視図を示すものである。
【００２９】
図において、基本面から任意の幅で帯状に凹み部２１を設けた取り付け台座２２を有する回転軸２３と、回転軸固定部２４と冷蔵庫１１本体への取り付け部２５を有する下側ヒンジ２６と、回転軸２３を受ける軸受け部２７を段付け形成し更にその一部を帯状に凸段差部２８を形成した扉体２９からなり、回転軸２３の台座２２に儲けた凹み部２１と扉体２９の軸受け部２７に設けた凸段差部２８を扉体２９が約９０度時に係合するように配置している。回転軸２３の台座２２に設けた凹み部２１代より、回転軸２３を受ける軸受け部２７の一部を帯状に設けた凸段差部２８代を大きくしている。
【００３０】
以上のように構成された冷蔵庫について、以下その動作を説明する。
【００３１】
扉体２９を開ける方向に回転させると、扉体２９下部の軸受け部２７に設けた凸段差部２８が、下側ヒンジ２６の台座２２の基本面上を摺動回転する。扉体２９が９０度近くになると、凸段差部２８が台座２２に設けた凹み部２１に掛かり、扉体２９の自重で凹み部２１代分引き込まれる。凸段差部２８と凹み部２１は係合しているので、固定状態を維持する。扉体２９を更に回すと凸段差部２８は凹み部２１を乗り上げ、再び台座２２の基本面上を摺動回転する。扉体２９を閉める方向に回転させ時は、開ける動作の逆になる。また、通常台座２２は鉄製の材料を使い、軸受け部２７に設けた凸段差部２８は樹脂製を使う。これにより、長期間の扉体２９開閉で凸段差２８が摺り減って行く事が知られている。が、凸段差部２８代を大きくしているので、扉体を一旦止める機能が無くなるのを低減する事が出来る。
【産業上の利用可能性】
【００３２】
以上のように、本発明にかかる冷蔵庫は、構成に確実性のある仕様とし、更に部品の種類を抑える仕様で、扉開放角略９０度で一旦止める事が可能となるので、多数の回転式扉タイプ冷蔵庫やシステムキッチン対応冷蔵庫等の用途にも適用できる。
【図面の簡単な説明】
【００３３】
【図１】本発明の実施の形態１における冷蔵庫の要部斜視図
【図２】本発明の実施の形態１における冷蔵庫の扉閉時の要部平面図
【図３】本発明の実施の形態１における冷蔵庫の扉開時の要部平面図
【図４】本発明の実施の形態１における冷蔵庫の斜視図
【図５】本発明の実施の形態２における冷蔵庫の要部斜視図
【図６】従来の冷蔵庫のヒンジ部の平面図
【符号の説明】
【００３４】
１２  回転軸
１３  ヒンジ
１４  軸受け
１５  扉体
１６  延出部
１７  凹凸形状
１８  保持板
２１  凹み部
２２  取り付け台座
２３  回転軸
２４  回転軸固定部
２５  取り付け部
２６  下側ヒンジ
２７  軸受け部
２８  凸段差部
２９  扉体
【図１】
2006336966.tif 000003
【図２】
2006336966.tif 000004
【図３】
2006336966.tif 000005
【図４】
2006336966.tif 000006
【図５】
2006336966.tif 000007
【図６】
2006336966.tif 000008